(57)【要約】      （修正有）【課題】レンズ交換、分解洗浄を容易に行なうことができ、且つレンズの固定、保持の確実性をこれまで以上に向上させたダイビングマスクを提供する。【解決手段】レンズフレーム５は中央凹陥部１０の下辺部及び上辺部に通孔を形成してなる外側フレーム７と、左右別体となった一対のインナーリング８と、レンズを挟んだ状態で外側フレーム７及び左右一対のインナーリング８をその中央部において嵌脱可能に固定するセンターパーツ１８とからなり、センターパーツ１８は前記外側フレーム７の中央部に設けた凹陥部内に嵌入させる突出部１９を形成すると共に、当該突出部の突出方向と直交する方向に通孔を穿設してあり、当該通孔内にビス２１を通し、当該ビスの先端に形成した雄ねじ部を、前記外側フレームの凹陥部に隣接して設けたナット収納室内に挿着したナット２３の雌螺子部に螺着して両者を着脱可能に固定するようにした。【選択図】図１
2019094030.tif 000002
【特許請求の範囲】
【請求項１】
顔面に密着する良好な弾性を有する材料によって作製され、少なくともスカート部、一対のレンズ取着部及びノーズポケット部を具備してなるマスク本体と、このマスク本体の前記レンズ取着部に水密状に取付けられる一対のレンズを保持したレンズフレームとを含むダイビング用マスクにおいて、
前記レンズフレームは、
左右一対のレンズを保持する左右一対のレンズ保持部を一体的に具備すると共に、当該左右のレンズ保持部を繋ぐ中央部に凹陥部を形成し、且つ当該凹陥部の下辺部及び上辺部にそれぞれ通孔を形成してなる外側フレームと、
前記外側フレームにおける左右一対のレンズ保持部のそれぞれの内周面に独立して着脱可能な形状を有すると共に、前記外側フレームに設けた凹陥部の底面に当接し得る突片を設けてある左右別体となった一対のインナーリングと、
前記外側フレームの左右一対のレンズ保持部にそれぞれレンズを保持させ、その外側から当該レンズを抑えるようにして前記インナーリングを外側フレームの内周部に着脱可能に挿着し、レンズを挟んだ状態で外側フレーム及び左右一対のインナーリングをその中央部において嵌脱可能に固定するセンターパーツとからなり、
前記センターパーツは、前記外側フレームの中央部に設けた凹陥部内に嵌入させる突出部を形成すると共に、当該突出部の突出方向と直交する方向に通孔を穿設してあり、前記外側フレームの凹陥部下辺に形成してある通孔の下側からビスを挿入し、当該ビスを前記センターパーツの突出部に穿設した通孔を通し、さらに前記外側フレームの凹陥部上辺に形成してある通孔を通して、当該ビスの先端に形成した雄ねじ部を、前記外側フレームの凹陥部に隣接して設けたナット収納室内に挿着したナットの雌螺子部に螺着して両者を着脱可能に固定するようにしたことを特徴とするダイビングマスク。
【請求項２】
前記センターパーツの突出部の先端に一対の係止爪を突成し、当該係止爪を外側フレームの凹陥部内に形成してある通孔の外側に係合させることができるようになっている請求項１に記載のダイビングマスク。
【請求項３】
前記センターパーツ及び前記インナーリングは各別個に外側フレームと嵌合するが、センターパーツ及びインナーリングにおいても位置決め用あるいは脱落防止のため互いの当接面にそれぞれ凹凸状の嵌合部を形成してある請求項１又は２に記載のダイビングマスク。
【発明の詳細な説明】
【技術分野】
【０００１】
本発明はダイビング用のマスクに関するもので、レンズ交換、分解洗浄を容易に行なうことができ、且つレンズの固定、保持の確実性をこれまで以上に向上させたダイビングマスクに関する。
【背景技術】
【０００２】
従来、顔面に密着させるスカート部、一対のレンズ取着部及びノーズポケット部を有するマスク本体と、このマスク本体のレンズ取着部に水密状に取付けられる一対のレンズを保持したレンズフレームを含むダイビング用マスクは公知である。図８は当該公知のダイビング用マスクの分解状態斜視図であり、図中１００はマスク本体、１０１はレンズ、１０２は硬質樹脂成型品であるメインフレーム、１０３は同じく硬質樹脂成型品であるサブフレームであり、その組み立て方法は、硬質メインフレーム１０２をマスク本体１００のレンズ取着部となるフレーム１０４上に固定させ、次いでレンズ１０１を硬質メインフレーム１０２の中に内接させ、さらに硬質サブフレーム１０３をレンズ１０１と硬質メインフレーム１０２の結合部位の周囲に挿着することにより、レンズ１０１を固定するものとなっている。これにより、レンズ１０１はマスク本体１００のフレーム１０４内に密着して固定される。
【先行技術文献】
【特許文献】
【０００３】
【特許文献１】実用新案登録第３１４５０３１号公報
【発明の概要】
【発明が解決しようとする課題】
【０００４】
上記特許文献に開示されたダイビングフェイスマスクにおいては、メインフレーム１０２及びサブフレーム１０３の両者共、硬質合成樹脂によって成型されたものであり、レンズ１０１を挟んだ状態で両者を嵌合させるため、メインフレーム１０２の環状周縁部数箇所にスリット１０５を形成すると共に、サブフレーム１０３の外周部に当該スリット１０５内に嵌合し得る突起部１０６を形成し、組み立てに際しては、サブフレーム１０３を強制的に歪ませたり、捩ったりと変形させて着脱を行なうため、サブフレームが適正に嵌合されない場合や、サブフレーム自体を破損させてしまうことがある。
【０００５】
サブフレームをメインフレームに適正に嵌合できない場合や、両フレームに破損が生じた場合は、当該部分より水が浸入してくる危険があると共に、レンズの保持、固定が適正に行われず、甚だしきはフレームからのレンズの脱落事故が発生するおそれがある。
【０００６】
本発明は前記した従来のダイビング用マスクに伴う諸種の問題点を解消し、レンズ交換、分解洗浄を容易に行なうことができるようにすると共に、レンズの固定、保持の確実性を大幅に向上させ、且つ耐久性にも優れたダイビングマスクを提供することを目的とするものである。
【課題を解決するための手段】
【０００７】
上記課題を解決するための本発明の構成を詳述すれば、請求項１に係る発明は、顔面に密着する良好な弾性を有する材料によって作製され、少なくともスカート部、一対のレンズ取着部及びノーズポケット部を具備してなるマスク本体と、このマスク本体の前記レンズ取着部に水密状に取付けられる一対のレンズを保持したレンズフレームとを含むダイビング用マスクにおいて、前記レンズフレームは、左右一対のレンズを保持する左右一対のレンズ保持部を一体的に具備すると共に、当該左右のレンズ保持部を繋ぐ中央部に凹陥部を形成し、且つ当該凹陥部の下辺部及び上辺部にそれぞれ通孔を形成してなる外側フレームと、前記外側フレームにおける左右一対のレンズ保持部のそれぞれの内周面に独立して着脱可能な形状を有すると共に、前記外側フレームに設けた凹陥部の底面部に当接し得る突片を設けてある左右別体となった一対のインナーリングと、前記外側フレームの左右一対のレンズ保持部にそれぞれレンズを保持させ、その外側から当該レンズを抑えるようにして前記インナーリングを外側フレームの内周部に着脱可能に挿着し、レンズを挟んだ状態で外側フレーム及び左右一対のインナーリングをその中央部において嵌脱可能に固定するセンターパーツとからなり、前記センターパーツは、前記外側フレームの中央部に設けた凹陥部内に嵌入させる突出部を形成すると共に、当該突出部の突出方向と直交する方向に通孔を穿設してあり、前記外側フレームの凹陥部下辺に形成してある通孔の下側からビスを挿入し、当該ビスを前記センターパーツの突出部に穿設した通孔を通し、さらに前記外側フレームの凹陥部上辺に形成してある通孔を通して、当該ビスの先端に形成した雄ねじ部を、前記外側フレームの凹陥部に隣接して設けたナット収納室内に挿着したナットの雌螺子部に螺着して両者を着脱可能に固定するようにしたことを特徴とするダイビングマスクである。
【０００８】
また、請求項２に係る発明は、前記センターパーツの突出部の先端に一対の係止爪を突成し、当該係止爪を外側フレームの凹陥部内に形成してある通孔の外側に係合させることができるようになっている請求項１に記載のダイビングマスクである。
【０００９】
さらに、請求項３に係る発明は、前記センターパーツ及び前記インナーリングは各別個に外側フレームと嵌合するが、センターパーツ及びインナーリングにおいても位置決め用あるいは脱落防止のため互いの当接面にそれぞれ複数個の凹凸状の嵌合部を形成してある請求項１又は２に記載のダイビングマスクである。
【発明の効果】
【００１０】
本発明に係るダイビングマスクによれば、外側フレームの中央部において、インナーリングはセンターパーツを介して確実に保持されるので、外側フレームとインナーリングの間に位置するレンズがフレームから脱落するのを完全に防ぐことができると共に、外側フレームの内周部にレンズをセットしてからインナーリングを外側フレームに嵌着する際に従来のようなスナップ嵌合に拠らないのでインナーリングを無理に捩ったりする必要がなく、組み立ての際にインナーリングに損傷を与えるのを防ぐことができる。また、使用後マスク本体のレンズ周辺部に付着した砂等を洗浄除去する際にも、強制的に捩ったりする必要がないので、各パーツに無理な負荷が掛かるのを防ぐことができ、ダイビングマスク全体の耐久性向上に寄与することができる。
【００１１】
また、請求項２のように、センターパーツの突出部の先端に一対の係止爪を突成し、当該係止爪を外側フレームの凹陥部内に形成してある通孔の外側に係合させることができるようにした場合は、ビス及びナットを用いずに外側フレーム中央部においてインナーリングを外側フレームに嵌脱自在に固定することができるようになる。なお、当該係止爪はビス及びナットによる固定手段と併用するようにしてもよいのは勿論である。
【００１２】
さらに、前記請求項３のように、センターパーツ及びインナーリングにおける互いの当接面にそれぞれ凹凸状の嵌合部を形成した場合は、センターパーツとインナーリングの位置決めが容易になると共に、互いのズレを完全に防止することができる。
【図面の簡単な説明】
【００１３】
【図１】本発明に係るダイビングマスクの一実施形態を示す分解状態斜視図である。
【図２】本発明に係るダイビングマスクの一実施形態を示す正面図である。
【図３】図２のＡ−Ａ線に沿った外側フレーム及びセンターパーツの断面図である。
【図４】図３に示す各パーツを組み付けるときの説明図である。
【図５】図２のＢ−Ｂ線に沿った拡大断面図である。
【図６】図２のＣ−Ｃ線に沿った拡大断面図である。
【図７】センターパーツの突出部の先端に突設した一対の係止爪を外側フレームの凹陥部内に形成してある通孔の外側に係合させたときの断面図である。
【図８】従来型ダイビングマスクの一例を示す分解斜視図である。
【発明を実施するための形態】
【００１４】
以下、本発明に係るダイビングマスクの具体的構成を図示の実施形態について詳細に説明する。なお、以下に示す実施形態は本発明の技術思想を具体化するためのダイビングマスクの一例を示すに過ぎないものであって、本発明は以下の説明及び図示したものに限定されるものではない。特に、実施の形態及び図面に記載されている構成部品の形状、相対的配置関係等は、特定的な記載がない限り本発明の範囲をそれのみに限定する趣旨ではなく、単なる説明例に過ぎないものである。
【００１５】
図１は本発明に係るダイビングマスクを構成する各パーツの分解斜視図であり、図中１はシリコーンゴムのような顔面に密着する良好な弾性を有する高分子材料によって作製されたマスク本体であり、２はスカート部、３は一対のレンズ取着部、４はノーズポケット部をそれぞれ示す。５は前記マスク本体１のレンズ取着部３に水密状に取付けられる一対のレンズを保持したレンズフレームである。
【００１６】
レンズフレーム５は、一対のレンズ６，６を保持するためのもので、外側フレーム７と、当該外側フレーム７の内周面に嵌着される左右それぞれ別体となった一対のインナーリング８とから構成される。なお、以下の説明において単にレンズフレームというときは、レンズ６，６、外側フレーム７及びインナーリング８，８をそれぞれ所定の位置関係で組み付けた状態の全体を意味するものとする。
【００１７】
先ず、レンズフレーム５全体の外周部を構成する外側フレーム７は、ポリカーボネート樹脂やＡＢＳ樹脂のような耐衝撃性に優れた特性を発現する硬質合成樹脂によって作製されるもので、一対のレンズ６，６を保持するためのレンズ保持部９，９を、その各内周面部に形成してあると共に、当該左右のレンズ保持部９，９を繋ぐ中央部に、後述するセンターパーツを嵌脱可能に取付けるための凹陥部１０を形成してある。そして、この凹陥部１０の下辺部１１及び上辺部１２には、図４に示すように、軸心を同一にした通孔１３，１３を形成してある。
【００１８】
次に、インナーリング８，８は、前記外側フレーム７と同様の硬質合成樹脂によって作製されるもので、前記外側フレーム７の左右のレンズ保持部９，９のそれぞれの内周面部に、撓ませたり、捩ったりすることなく独立して着脱可能な形状を有している。このように、インナーリング８，８は、図１に示すような環状形態を有していると共に、前記外側フレーム７に設けた凹陥部１０の底面部１４に当接し得る突片１５，１５をそれぞれ設けてあり、当該突片１５，１５が凹陥部１０の底面部１４に当接した時の高さがインナーリング８全体で保持できるようにインナーリング８の外周縁適所には適宜形状の突起１６を数箇所設けてあり、当該突起１６を受けるための凹溝１７等の係合部を外側フレーム７の内周面部適所に設けてある。
【００１９】
なお、インナーリング８に設ける突片１５の裏面はフラットな形状よりも、外側フレーム７における凹陥部１０の底面部１４において位置ずれを生じ難いように凹凸状に形成することが好ましい。また、凹陥部１０の底面部１４の形状もフラットではなく突片１５の裏面に形成した凹凸状部に対応した凹凸状に形成することが好ましい。
【００２０】
上記したように、レンズフレーム５は、外側フレーム７におけるレンズ保持部９，９内にレンズ６，６をそれぞれ所定位置にセットし、次いでインナーリング８，８の突片１５，１５を外側フレーム７における凹陥部１０の底面部１４に当接させると共に、レンズ保持部９，９のそれぞれの内周面部に嵌め付けて構成されるが、この状態では固定化が図られていない。
【００２１】
そのため、本発明においては、１本のビス２１及びナット２３を用いて外側フレーム７と２つの独立したインナーリング８，８を同時に固定できる構造的特徴を持ったセンターパーツ１８を用いて両者を嵌脱可能に固定できるようにしたものである。
【００２２】
すなわち、センターパーツ１８は、外側フレーム７の左右一対のレンズ保持部９，９内にそれぞれレンズ６，６を保持させ、その外側から当該レンズ６，６を抑えるようにして前記インナーリング８，８を外側フレーム７の内周面部に挿着し、レンズ６，６を挟んだ状態で外側フレーム７及び左右一対のインナーリング８，８をその中央部において嵌脱可能に固定できる構造を有しており、図３及び図４に示すように、外側フレーム７の中央部に設けた凹陥部１０内に嵌入させる突出部１９を形成すると共に、当該突出部１９の突出方向と直交する方向に通孔２０を穿設してある。
【００２３】
そして、前記外側フレーム７の凹陥部１０の下辺部１１に形成してある通孔１３の下側からビス２１を挿入し、当該ビス２１をセンターパーツ１８の突出部１９に穿設した通孔２０を通し、さらに凹陥部１０の上辺部１２に形成してある通孔１３を通し、通孔１３から突出した当該ビス２１の先端に形成した雄ねじ部を、外側フレーム７の凹陥部１０に隣接して設けたナット収納室２２内に挿着したナット２３の雌螺子部に螺着して両者を着脱可能に固定するものである。
【００２４】
このように、本発明におけるレンズフレーム５は、外側フレーム７の中央凹嵌部１０内において、インナーリング８，８の互いの突き合せ部に形成してある突片１５，１５をセンターパーツ１８の本体部２６裏面によって抑え付け、ビス２１及びナット２３によって両者を固定し、外側フレーム７とインナーリング８，８によって形成される空間内においてレンズ６，６を安定的に保持させるようにしたものである。
【００２５】
上記した実施形態においては、ビス２１及びナット２３を用いて外側フレーム７とインナーリング８を固定する構造を示したが、当該ビス２１及びナット２３による固定手段と併行して係止爪による係合手段を用いることもできる。
すなわち、センターパーツ１８における突出部１９の前端部に、先端が鈎状に形成された一対の係止爪２４を突成すると共に、当該係止爪２４，２４が係合し得る段部を形成するため、外側フレーム７における凹嵌部１０の底面部１４のほぼ中心に通孔２５を形成し、図７に示すように、当該通孔２５によって形成される外側の段部に係止爪２４，２４を係合させて固定を図ることができる。
【００２６】
なお、ビス２１及びナット２３による固定手段に拠らずに、当該係止爪２４による係合手段のみによって外側フレーム７とインナーリング８の固定を図るようにすることも充分可能である。
【００２７】
センターパーツ１８とインナーリング８は、外側フレーム７の凹嵌部１０内においてセンターパーツ１８の本体部２６の裏面とインナーリング８の突片１５，１５の表面が互いに当接するが、当該当接面にそれぞれ凹凸状の嵌合部２７を複数個形成しておくとセンターパーツ１８とインナーリング８の位置決めが容易になると共に、互いのズレを防ぐことができる。なお、図６に示す実施形態ではセンターパーツ１８の本体部２６裏面に凸部を形成すると共に、インナーリング８の突片１５，１５の表面に凹部を形成してあるが、これを逆にして形成すようにしてもよいのは勿論である。
【００２８】
本発明に係るダイビングマスクは以上のように、左右のレンズ保持部９，９が中央で繋がった一つの外側フレーム７と、それぞれ独立した二つのインナーリング８，８をセンターパーツ１８によって嵌脱可能に固定できるようにしたものであり、洗浄のためレンズフレーム５を分解するに際しては、小型ドライバー等によってビス２１を固定方向と逆の方向に回してナット２３との螺合を解き、センターパーツ１８を外側フレーム７の凹嵌部１０内から抜き出すことによって外側フレーム７とインナーリング８との固定が解除されるので、外側フレーム７のレンズ保持部９，９内からレンズ６，６を取り出し、洗浄することができる。
【００２９】
一方、ビス２１及びナット２３による固定手段と、前記係止爪２４による固定手段を併用したセンターパーツ１８の場合及び係止爪２４のみによる固定手段を用いたセンターパーツ１８の場合は、一対の係止爪２４，２４の外側をそれぞれ内方へ向け押圧することによって外側フレーム７の凹嵌部１０内に形成した段部からの係合が解除されるので、センターパーツ１８を掴んで容易に引き出すことができる。
【００３０】
以上のように、本発明に係るダイビングマスクによった場合は、従来のようにレンズフレーム５を構成する外側フレーム７とインナーリング８，８の固定をスナップ嵌合手段によらずに、特殊構造を有するセンターパーツ１８による固定手段に替えたものであり、組み立てや分解・洗浄の際にインナーリング８を撓ませたり、捩じったりする必要がなく、インナーリングや外側フレームに過度な負荷が掛かるのを防ぐことができる。
従って、本発明によれば、レンズの固定、保持の確実性をこれまで以上に向上させたダイビングマスクを提供することができると共に、レンズ交換、分解洗浄の容易なダイビングマスクを提供することができる。
【符号の説明】
【００３１】
１：マスク本体
２：スカート部
３：レンズ取着部
４：ノーズポケット
５：レンズフレーム
６：レンズ
７：外側フレーム
８：インナーリング
９：レンズ保持部
１０：凹陥部
１１：下辺部
１２：上辺部
１３：通孔
１４：底面部
１５：突片
１６：突起
１７：凹溝
１８：センターパーツ
１９：突出部
２０：通孔
２１：ビス
２２：ナット収納室
２３：ナット
２４：係止爪
２５：通孔
２６：本体部
２７：嵌合部
【図１】
2019094030.tif 000003
【図２】
2019094030.tif 000004
【図３】
2019094030.tif 000005
【図４】
2019094030.tif 000006
【図５】
2019094030.tif 000007
【図６】
2019094030.tif 000008
【図７】
2019094030.tif 000009
【図８】
2019094030.tif 000010